(57)【要約】【課題】  遊技釘が球の衝突で折れた場合における遊技釘の交換容易化を図る。【解決手段】  遊技盤１には遊技領域６と裏面２３とに貫通する釘挿入孔２２が形成され、遊技釘２０が釘挿入孔２２よりも外径の太い直線的な胴体２５と胴体２５よりも外径の大きな頭部２６とが連接された格好に形成され、胴体２５が遊技盤１の厚さと球の直径の１／２以上とを加算した長さを有し、胴体２５が遊技盤１の裏面２３から釘挿入孔２２に圧入されて遊技領域６に突出し、頭部２６と裏面２３との間に釘抜工具の嵌め込まれる釘抜作業空間２９を形成したことで、遊技釘２０が遊技盤１に取り付けられている。頭部２６が釘挿入孔２２の周りにおける裏面２３と接触して、遊技釘２０が遊技盤１に取り付けられれば、胴体２５の遊技領域６からの突出寸法が正確となる。【選択図】        図１
2005118440.tif 000002
【特許請求の範囲】
【請求項１】
球の衝突を受ける遊技釘が遊技領域に設けられた遊技盤において、遊技盤には遊技領域と裏面とに貫通する釘挿入孔が形成され、遊技釘が釘挿入孔よりも外径の太い直線的な胴体と胴体よりも外径の大きな頭部とが連接された格好に形成され、遊技釘の胴体が遊技盤の厚さと球の直径の１／２以上とを加算した長さを有し、この胴体が遊技盤の裏面から釘挿入孔に圧入されて遊技領域に突出し、遊技釘の頭部と遊技盤の裏面との間に釘抜工具の嵌め込まれる釘抜作業空間を形成したことで、遊技釘が遊技盤に取り付けられたことを特徴とするパチンコ機の遊技盤。
【請求項２】
球の衝突を受ける遊技釘が遊技領域に設けられた遊技盤において、遊技盤には遊技領域と裏面とに貫通する釘挿入孔が形成され、遊技釘が釘挿入孔よりも外径の太い直線的な胴体と胴体よりも外径の大きな頭部とが連接された格好に形成され、遊技釘の胴体が遊技盤の厚さと球の直径の１／２以上とを加算した長さを有し、この胴体が遊技盤の裏面から釘挿入孔に圧入されて遊技領域に突出し、遊技釘の頭部が釘挿入孔の周りにおける遊技盤の裏面と接触したことで、遊技釘が遊技盤に取り付けられたことを特徴とするパチンコ機の遊技盤。
【請求項３】
胴体の先端が尖っていないことを特徴とする請求項１記載または請求項２記載のパチンコ機の遊技盤。
【請求項４】
遊技領域の突出した胴体が胴体の先端から遊技領域の根元の側に装着されて当該根元の周りを被覆する覆体を備えたことを特徴とする請求項１または請求項２記載のパチンコ機の遊技盤。
【請求項５】
頭部が釘抜工具の嵌め込まれる釘抜作業部を備えたことを特徴とする請求項２記載のパチンコ機の遊技盤。
【発明の詳細な説明】
【技術分野】
【０００１】
本発明は、遊技盤に取り付けられた遊技釘が球の衝突で折れた場合、遊技釘の交換が容易な遊技盤に関する。
【背景技術】
【０００２】
パチンコ機の遊技盤では、障害釘とも呼ばれる遊技釘が遊技領域に多数本設けられ、これらの遊技釘の配置によって、遊技釘が球の衝突を受けて当該球を跳ね返すことによって、遊技領域に特有の球の飛び方や流れ方を形成するようになっている。しかしながら、遊技釘を遊技領域の天と呼ばれる最上中央部でガイドレールの近くに設けることによって、当該遊技釘で、発射機構からガイドレールに沿って遊技領域に発射された直後の勢いの強い球を受け止めて、球が遊技領域の天から右側に流れるとともに天から左側に多く流れるようにした、遊技釘の配置を形成した場合、当該遊技釘が勢いの強い球の繰り返される衝撃で遊技盤の遊技領域の根元から折れることがある。そして、遊技釘が根元から折れた場合、遊技盤の内部に食い込んでいる残渣を遊技盤の内部から取り除き、新しい遊技釘を取り付ける補修を行う必要がある。けれども、遊技盤の遊技領域における意匠盤面に傷を付けずに、遊技盤の内部に食い込んでいる遊技釘の残渣を取り除くには、多大な労力と時間を要する。しかも、遊技釘の残渣の取り除かれた遊技盤の残渣孔に新しい遊技釘を取り付けたとしても、当該新しい遊技釘に対する遊技盤の保持力が変化し、修復前と同じ球の反発や流れを作ることができないという欠点がある。このようなことから、遊技領域から遊技盤の前側に突出する遊技釘の部分を太くしたり、当該部分に筒体を嵌め込んだりすることによって、遊技釘の補強を行うことも考えられるけれども、遊技釘を専用の釘打機で遊技盤に打ち込んでいる遊技盤の製造工程を勘案すると、にわかに採用しがたいものである。
【特許文献１】特開平５−２６９２３９号公報
【発明の開示】
【発明が解決しようとする課題】
【０００３】
発明が解決しようとする問題点は、遊技盤に取り付けられた遊技釘が球の衝突で折れた場合、遊技釘の交換が面倒であるという点である。
【課題を解決するための手段】
【０００４】
本発明のパチンコ機の遊技盤は、遊技盤には遊技領域と裏面とに貫通する釘挿入孔が形成され、球の衝突を受ける遊技釘が釘挿入孔よりも外径の太い直線的な胴体と胴体よりも外径の大きな頭部とが連接された格好に形成され、遊技釘の胴体が遊技盤の厚さと球の直径の１／２以上とを加算した長さを有し、この胴体が遊技盤の裏面から釘挿入孔に圧入されて遊技領域に突出し、遊技釘の頭部と遊技盤の裏面との間に釘抜工具の嵌め込まれる釘抜作業空間を形成したことで、または、遊技釘の頭部が釘挿入孔の周りにおける遊技盤の裏面に接触したことで、遊技釘が遊技盤に取り付けられたことを最も主要な特徴とする。上記胴体の先端が尖っていなかったり、遊技領域の突出した胴体が胴体の先端から遊技領域の根元の側に装着されて当該根元の周りを被覆する覆体を備えたり、頭部が釘抜工具の嵌め込まれる釘抜作業部を備えたりすることも特徴とする。
【発明の効果】
【０００５】
本発明のパチンコ機の遊技盤は、遊技釘が遊技盤に取り付けられる場合、釘挿入孔よりも外径の太い直線的な胴体が遊技盤の裏面から釘挿入孔に圧入されることで、遊技釘に対する遊技盤の保持力を確保することができ、遊技釘の頭部が釘挿入孔の周りにおける遊技盤の裏面に接触することで、遊技盤の厚さと球の直径の１／２以上とを加算した長さを有する遊技釘の胴体が遊技盤の裏面から釘挿入孔に圧入されて遊技領域に突出した寸法が正確であるという利点がある。また、遊技釘が根元から折れた場合、遊技釘の裏面に突出している頭部を工具で掴んで引くことで、遊技盤の遊技領域における意匠盤面に傷を付けずに、遊技盤の内部に食い込んでいる残渣を遊技盤の内部から容易に取り除くことができ、新しい遊技釘の胴体を遊技盤の裏面から釘挿入孔に圧入して取り付けることで、当該新しい遊技釘に対する遊技盤の保持力も確保することでき、遊技盤に取り付けられた遊技釘が球の衝突で折れた場合、遊技釘の交換が容易であるという利点がある。また、胴体の先端が尖っていなければ、作業者が怪我をせず、安全であるという利点がある。また、頭部が釘抜工具の嵌め込まれる釘抜作業部を備えれば、工具による釘の引き抜き作業が容易であるという利点がある。また、遊技領域の突出した胴体が胴体の先端から遊技領域の根元の側に装着されて当該根元の周りを被覆する覆体を備えれば、胴体の遊技盤の裏からの圧入による意匠盤面を構成する化粧シートのめくれを目隠しし、見栄えも良いという利点がある。
【発明を実施するための最良の形態】
【０００６】
図１−図３は、第１実施形態である。図１は遊技盤１と遊技釘２０との取付構造の断面を示す。図２は遊技盤１の正面を示す。図３は遊技盤１に取り付けられた遊技釘２０が折れた場合の断面を示す。
【０００７】
図２を参照し、パチンコ機の遊技盤１について説明する。遊技盤１は、ベニヤのような合板からなる方形の遊技基板２の一表面に化粧シート３を接着剤で接着した形態である。この遊技基板２と化粧シート３とが互いに結合された形態は、図１を参照。化粧シート３は、硝酸繊維系合成樹脂からなる無色な板状の表層体の裏面に図柄や機種名などの意匠盤面層を印刷で形成し、当該意匠盤面層の裏面にケント紙のような定着紙を接着剤で結合した形態である。よって、定着紙が遊技基板２の一表面に接着剤で結合されることで、化粧シート３が遊技基板２と結合して遊技盤１の意匠盤面を形成する。遊技盤１の意匠盤面には、ガイドレール５が取り付けられることで、ガイドレール５で囲まれた内側が遊技領域６として形成される。ガイドレール５は、ステンレスからなる帯板状の外バンド７と、ステンレスからなる帯板状の内バンド８との２つの部品により形成される。
【０００８】
外バンド７と内バンド８との間の隙間は、遊技盤１の取り付けられる遊技機枠に設けられた発射機構から発射された球を遊技領域６に誘導する発射通路９である。発射通路９以外の遊技領域６には、一般入賞部品１１、始動入賞部品１２、可変入賞部品１３、アウト口１４、風車１５、センター飾り１６、図柄表示器１７、サイドランプ１８、多数本の遊技釘１９などの遊技部品が設けられる。多数本の遊技釘１９のうち、遊技領域６の天と呼ばれる最上中央部でガイドレール５の近くに設ける遊技釘２０は、図１に示すように、遊技盤１の裏側から取り付けられる。図２の符号２４は、遊技盤１におけるガイドレール５よりも外側の非遊技領域に取り付けられた盤面飾りであって、盤面飾り２４は外バンド７と内バンド８との分離された境目を目隠ししている。
【０００９】
図１を参照し、遊技盤１と遊技釘２０との取付構造について説明する。遊技盤１には遊技領域６と裏面２３とに貫通する直線的な釘挿入孔２２が形成される。釘挿入孔２２の中心線Ｌ１は、遊技盤１の互いに平行する化粧シート３の前面である遊技領域６と裏面２３との双方に直交する形態ではなく、裏面２３から遊技領域６に向けて上り勾配となる傾斜角度θを有する。傾斜角度θは、遊技盤１が図外の遊技機枠に取り付けられた場合、遊技釘２０が遊技領域６の上部に向けて遊技盤１の前面に５度程度傾斜するように、遊技盤１の前面に直交する垂線に対し５度程度に設定される。
【００１０】
遊技釘２０は、黄銅で硬度ＨＶ１８０−２００の従来から使用されている遊技釘と同じ材質であって、釘挿入孔２２よりも外径Ｄ１の太い直線的な胴体２５と、胴体２５よりも外径の大きな頭部２６とが同軸に連接された格好に形成される。胴体２５は、遊技盤１の厚さＨ１と球の直径Ｄ３の１／２以上とを加算した長さＬ２を有する直線的な丸棒状である。例えば、遊技盤１の厚さＨ１が１９ｍｍとし、球の直径Ｄ３が１１ｍｍである場合、胴体２５の長さＬ２は、１９＋（１１／２以上）である。けれども、胴体２５の長さＬ２は、遊技盤１が遊技機枠に交換可能に取り付けられ、この遊技盤１の前側が遊技機枠の光透過性の有るガラスや合成樹脂からなる無色の前面パネルで覆われた場合、胴体２５が当該前面パネルに接触しない範囲である。胴体２５の外径Ｄ１である太さは、釘挿入孔２２の口径Ｄ２よりも大きい。例えば、胴体２５の太さは、１．８５ｍｍであって、釘挿入孔２２の口径Ｄ２が１ｍｍ−１．５ｍｍである。
【００１１】
胴体２５の先端は、尖っておらず、胴体２５の中心線と直交する平坦面または胴体２５から先に突出する球面形状であり、作業者が怪我をせず、安全である。頭部２６の形状は、胴体２５の側に平坦面を有し、この平坦面から頭部２６の側に突出する半球形であっても良いが、当該平坦面から頭部２６の側に突出する短柱状であれば、釘を引き抜く場合に好ましい。胴体２５が遊技盤１の裏面２３から釘挿入孔２２に圧入されて遊技領域６に突出し、頭部２６と遊技盤１の裏面２３との間に図３に示す釘抜工具２８の嵌め込まれる釘抜作業空間２９を形成したことで、遊技釘２０が遊技盤１に取り付けられる。
【００１２】
第１実施形態の構造によれば、遊技釘２０が遊技盤１に取り付けられる場合、釘挿入孔２２よりも外径Ｄ１の太い直線的な胴体２５が遊技盤１の裏面２３から釘挿入孔２２に圧入されることで、遊技釘２０に対する遊技盤１の保持力を確保することができる。また、図３に示すように、遊技釘２０が根元から折れた場合、頭部２６と遊技盤１の裏面２３に形成された釘抜作業空間２９に、釘抜工具２８を差し込み、当該釘抜工具２８で頭部２６を掴んで後側に引くことで、遊技盤１の遊技領域６に傷を付けずに、遊技盤１の内部に食い込んでいる残渣３０を遊技盤１の内部から容易に取り除くことができる。この残渣３０の取り除かれた釘挿入孔２２に、新しい遊技釘２０の胴体２５が遊技盤１の裏面２３から釘挿入孔２２に圧入されることで、新しい遊技釘２０が遊技盤１に取り付けられる。よって、当該新しい遊技釘２０に対する遊技盤１の保持力も確保することができる。
【００１３】
第１実施形態の構造によれば、遊技釘２０の胴体２５が遊技盤１の厚さＨ１と球の直径Ｄ３の１／２以上とを加算した長さＬ２を有するので、胴体２５の遊技領域６からの突出寸法が、遊技領域６に接触して遊技領域６を流れる球の遊技領域６から最大径の外周部Ｐまでの寸法（Ｄ３／２）よりも大きくなっている。外周部Ｐと遊技領域６との間の寸法がＤ３／２となる。よって、遊技領域６に接触して遊技領域６を下方に流れる球が、遊技領域６に突出する遊技釘２０の胴体２５の側面に衝突しても、当該衝突した球が遊技盤１の前側に配置された前面パネルの側に跳ね返ることがなく、当該衝突した球が遊技領域６に接触したまま跳ね返るので、球の前面パネルへの衝突を防止することができる。また、遊技釘２０とガイドレール５との間隔Ｄ５は、１個の球の直径Ｄ３より小さく形成することで、当該間隔Ｄ５に球が挟まることなく、遊技釘２０が遊技機枠の発射機構からガイドレール５に沿って遊技領域６に発射された直後の勢いの強い球を受け止めて、当該球を遊技領域の天から右側に流れることを少なくするとともに天から左側に多く流れるようにするものであるが、当該間隔Ｄ５を少なくすればするほど、衝突後の球が極端に左斜め下方から真下、または真下から右斜め下方に跳ね返される。
【００１４】
図４は、第２実施形態に係る、遊技盤１と遊技釘２０との取付構造の断面を示す。遊技釘２０の頭部２６の形状が、胴体２５の側に位置する平坦面から頭部２６の側に突出する短柱状に形成される。よって、胴体２５が遊技盤１の裏面２３から釘挿入孔２２に圧入されて遊技領域６に突出し、頭部２６の平坦面が釘挿入孔２２の周りにおける遊技盤１の裏面２３に接触したことで、遊技釘２０が遊技盤１に取り付けられる。この結果、遊技盤１の裏面２３から釘挿入孔２２に圧入されて遊技領域６に突出した胴体２５の寸法、つまり、胴体２５の遊技領域６からの突出寸法（Ｌ２−Ｈ１）が、正確に確保できる。また、頭部２６の形状が短柱状になっているので、遊技釘２０が根元から折れた場合、短柱状の頭部２６をペンチのような工具で頭部２６の外側面を掴んで後側に引くことで、遊技盤１の遊技領域６における意匠盤面に傷を付けずに、遊技盤１の内部に食い込んでいる残渣３０を遊技盤１の内部から容易に取り除くことができる。
【００１５】
図５は、第３実施形態に係る、遊技盤１と遊技釘２０との取付構造の断面を示す。遊技釘２０の頭部２６が、外側面から内部に窪む、釘抜作業部３２を備える。そして、遊技釘２０が根元から折れた場合、釘抜作業部３２に針金のような工具を嵌め込み、当該工具で頭部２６を後側に引くことで、遊技盤１の遊技領域６における意匠盤面に傷を付けずに、遊技盤１の内部に食い込んでいる残渣３０を遊技盤１の内部から容易に取り除くことができる。釘抜作業部３２は貫通孔であってもよい。
【００１６】
図６は、第４実施形態に係る、遊技盤１と遊技釘２０との取付構造の断面を示す。遊技領域６の突出した胴体２５には覆体３３が胴体２５の先端から遊技領域６の根元の側に装着され、覆体３３が当該根元の周りを被覆した形態である。覆体３３は、胴体２５よりも直径の大きな遊技盤側開口を有し、遊技盤側開口から前側に突出した半円形状の壁を有する、全体的にドーム形状である。よって、遊技釘２０の胴体２５が遊技盤１の裏側から釘挿入孔２２を通って化粧シート３を突き抜ける場合、遊技領域６を構成する化粧シート３の釘挿入孔２２の周りが胴体２５で前側におされてめくれ上がったとしても、覆体３３が当該化粧シート３のめくれ上がった部分３４を目隠しして、見栄えが良くなる。
【００１７】
図７は、第５実施形態に係る、遊技盤１と遊技釘２０との取付構造の断面を示す。遊技盤１における釘挿入孔２２の周りの遊技領域６に治具３５をあてがう。治具３５は、釘挿入孔２２と同じ口径かそれよりも大きな口径の内部孔３６を有する。つまり、治具３５の内部孔３６が遊技盤１の釘挿入孔２２と同軸となるように、治具３５が遊技盤１の遊技領域６にあてがわれることによって、遊技釘２０の胴体２５が遊技盤１の裏面２３から釘挿入孔２２を経由して遊技領域６に突出する場合、治具３５が釘挿入孔２２の周りの化粧シート３を抑えるので、釘挿入孔２２の周りの化粧シート３が胴体２５の先端で押されてめくれ上がることがないように、化粧シート３のめくれ上がりを防止することができる。
【産業上の利用可能性】
【００１８】
球の跳ね返り方は変わるものの、遊技釘２０の材質や胴体２５の太さを、実施形態に記載した以外の数値に変更してもよい。遊技領域６の天と呼ばれる最上中央部でガイドレール５の近くに設ける遊技釘２０の取付構造について説明したが、それ以外の場所に設けられる遊技釘１９の遊技盤１への取付構造にも利用することができる。遊技釘１９は遊技領域６から遊技盤１に打ち込み、当該遊技釘１９の先端が遊技盤１の裏面２３に貫通しない形態であってもよい。胴体２５の遊技盤１の内部に配置される部分に雄ねじを形成し、頭部２６にドライバーのような工具を挿入するための工具挿入部を形成し、当該工具で残渣３０を取り除くようにしてもよい。
【図面の簡単な説明】
【００１９】
【図１】遊技盤と遊技釘との取付構造を示す断面図。（第１実施形態）
【図２】遊技盤を示す正面図。（第１実施形態）
【図３】遊技釘の折れた形態を示す断面図。（第１実施形態）
【図４】遊技盤と遊技釘との取付構造を示す断面図。（第２実施形態）
【図５】遊技盤と遊技釘との取付構造を示す断面図。（第３実施形態）
【図６】遊技盤と遊技釘との取付構造を示す断面図。（第４実施形態）
【図７】遊技盤と遊技釘との取付構造を示す断面図。（第５実施形態）
【符号の説明】
【００２０】
１  遊技盤
５  ガイドレール
６  遊技領域
２０  遊技釘
２２  釘挿入孔
２３  裏面
２５  胴体
２６  頭部
２９  釘抜作業空間
３０  残渣
３２  釘抜作業部
３３  覆体
【図１】
2005118440.tif 000003
【図２】
2005118440.tif 000004
【図３】
2005118440.tif 000005
【図４】
2005118440.tif 000006
【図５】
2005118440.tif 000007
【図６】
2005118440.tif 000008
【図７】
2005118440.tif 000009